(57)【特許請求の範囲】
【請求項１】
対向する両面にぞれぞれ第１の開口部と第２の開口部を備えるスピーカキャビネットと、
第１の磁気回路と第１の振動板を備え前記スピーカキャビネットの前記第１の開口部に固定される第１のスピーカと、
第２の磁気回路と第２の振動板を備え前記第１のスピーカと同一の向きで前記スピーカキャビネットの前記第２の開口部に固定される第２のスピーカと、
前記第１のスピーカフレームと前記第２のスピーカフレームを連結する連結部材とを具備することを特徴とするスピーカ装置。
【請求項２】
請求項１記載のスピーカ装置において、前記連結部材は、制動部材を介して前記第１のスピーカフレームと前記第２のスピーカフレームを連結することを特徴とするスピーカ装置。
【請求項３】
請求項１記載のスピーカ装置において、前記連結部材は、前記スピーカキャビネットを介して前記第１のスピーカフレームと前記第２のスピーカフレームを連結することを特徴とするスピーカ装置。
【請求項４】
請求項３に記載のスピーカ装置において、前記制動部材は、前記スピーカキャビネットより硬度の低い部材を介して前記スピーカキャビネットに固定されることを特徴とするスピーカ装置。
【発明の詳細な説明】
【０００１】
【発明の属する技術分野】
本発明は、スピーカ装置に関するものである。
【０００２】
【従来の技術】
スピーカキャビネットの対向する両面に、略同一のスピーカを背中合わせに取り付け、背中合わせに取り付けたスピーカの磁気回路どうしを連結して、スピーカを駆動したときに発生する機械振動を打ち消し、スピーカキャビネットに伝わる機械振動を低減することを目的としたスピーカシステムが特開平５−３２８４７３号公報で開示されている。
【０００３】
また、同極性が対向するように背面で結合された２組の磁気回路と両磁気回路に対称的に配置されたボイスコイル及び振動板と上記磁気回路全体を包囲するための磁気シールド用筒体とで構成されるスピーカユニットと、このスピーカユニットの少なくとも一方の振動板の放音側にバスレフダクトを設けて、主に低音域での再生を良好にすることを目的としたスピーカが実公平４ー２４７１５号公報で開示されている。
【０００４】
【発明が解決しようとする課題】
特開平５−３２８４７３号公報で開示されている従来例では、背中合わせに取り付けたスピーカの磁気回路どうしを連結して、スピーカの振動板の振動方向が反対方向に振動するので、振動したときに発生する反作用による機械振動を打ち消し、スピーカキャビネットに伝わる機械振動を低減することができるが、それぞれのスピーカの有する非直線性歪みは低減されない不具合を生じる。
【０００５】
また、実公平４ー２４７１５号公報で開示されている従来例では、背中合わせに取り付けたスピーカの磁気回路どうしを連結してそれぞれの振動板の振動方向が同じ方向になるように駆動しているので、第１のスピーカ１と第２のスピーカ３の駆動力に対する反作用が両方のスピーカとも同じ方向に生じる。
したがって、反作用による機械振動を助長してしまう不具合を生じる。
【０００６】
本発明のスピーカ装置では、２つのスピーカを同一方向に配置し、スピーカの振動板の振動方向が反対方向になるようにして、振動板が振動したときに発生する反作用による機械振動を打ち消し、スピーカキャビネットに伝わる機械振動を低減するとともに、スピーカの有する非直線性歪みを低減することを目的としている。
【０００７】
【課題を解決するための手段】
上記の問題点を解決するために、本発明の請求項１記載のスピーカ装置では、対向する両面にぞれぞれ第１の開口部と第２の開口部を備えるスピーカキャビネットと、第１の磁気回路と第１の振動板を備え前記スピーカキャビネットの前記第１の開口部に固定される第１のスピーカと、第２の磁気回路と第２の振動板を備え前記第１のスピーカと同一の向きで前記スピーカキャビネットの前記第２の開口部に固定される第２のスピーカと、前記第１のスピーカフレームと前記第２のスピーカフレームを連結する連結部材とを具備することを特徴としている。
【０００８】
したがって、同一方向に配置したスピーカのうち、一方のスピーカの振動板が磁気回路から遠ざかる方向に振動するとき、もう一方の略同一のスピーカの振動板は磁気回路に近づく方向に振動するので、それぞれのスピーカに生じる機械振動は相反する方向となり、連結部材で２つのスピーカの取り付け面どうしを連結しているので機械振動を打ち消し合い、スピーカキャビネットに伝わる機械振動を低減する。
さらに、同一方向に配置した略同一の振動系や駆動系を有するスピーカの振動方向が相反する方向となるので、それぞれのスピーカが有する第２高調波歪等の偶数次の高調波歪を打ち消すことができる。
【００１１】
また、本発明の請求項２記載のスピーカ装置によれば、請求項１記載のスピーカ装置において、前記連結部材は、制動部材を介して前記第１のスピーカフレームと前記第２のスピーカフレームを連結することを特徴としている。
【００１２】
また、本発明の請求項３記載のスピーカ装置によれば、請求項１記載のスピーカ装置において、前記連結部材は、前記スピーカキャビネットを介して前記第１のスピーカフレームと前記第２のスピーカフレームを連結することを特徴としている。
【００１３】
したがって、２つのスピーカの相反する機械振動を打ち消し合い、スピーカキャビネットに伝わる機械振動を低減するとともに、連結部材によってスピーカキャビネットを補強することができる。
また、それぞれのスピーカが有する第２高調波歪等の偶数次の高調波歪を打ち消すことができる。
【００１６】
また、本発明の請求項４記載のスピーカ装置によれば、請求項３に記載のスピーカ装置において、前記制動部材は、前記スピーカキャビネットより硬度の低い部材を介して前記スピーカキャビネットに固定されることを特徴としている。
【００１７】
したがって、連結部材によって連結された２つのスピーカが、制動部材によってスピーカキャビネットからフローティングされているので、スピーカキャビネットに伝わる機械振動を、さらに低減することができる。
【００１８】
【発明の実施の形態】
図１は、本発明によるスピーカ装置の第１の実施例を示す概略構成図である。図１において、第１のスピーカ１ａは、振動板３ａを前面にしてスピーカキャビネット２に設けた開口部２ａに、スピーカキャビネット２の外側から取付部４ａをスピーカキャビネット２に取り付けている。
【００１９】
また、第１のスピーカ１ａと同じ性能を有する第２のスピーカ１ｂを、スピーカキャビネット２の開口部２ａと対向する位置に設けた開口部２ｂに、スピーカキャビネット２の外側から第１のスピーカ１ａと同じ方向に配置して、取付部４ｂをスピーカキャビネット２に取り付けている。
したがって、第２のスピーカ１ｂの磁気回路５ｂが、スピーカキャビネット２から突き出した状態で配置する。
【００２０】
取付部４ａと取付部４ｂは、キャビネット２に第１のスピーカ１ａや第２のスピーカ１ｂを取り付ける取付面で、磁気回路５ａや磁気回路５ｂに取り付けられて振動板３ａや振動板３ｂ等の振動系部材を支えるフレーム１１の一部からなっている。
そして、スピーカキャビネット２の開口部２ａに配置した第１のスピーカ１ａの取付部４ａと、スピーカキャビネット２の開口部２ａと対向する位置に設けた開口部２ｂに配置した第２のスピーカ１ｂの取付部４ｂとを連結部材６で連結し、ネジ６で取り付けている。
【００２１】
この連結部材６は、取付部に４本取り付けられて、第１のスピーカ１ａの取付部４ａと、第２のスピーカ１ｂの取付部４ｂとをしっかり連結している。
なお、図示していないが、スピーカキャビネット２の開口部２ａの外周に、第１のスピーカ１ａの取付部４ａと第２のスピーカ１ｂの取付部４ｂを緩嵌する凹部を設けて設置し、連結部材６の長さを、対向する第１のスピーカ１ａの取付部４ａと第２のスピーカ１ｂの取付部４ｂとの間の長さより若干短くすることによって、第１のスピーカ１ａの取付部４ａと第２のスピーカ１ｂの取付部４ｂとでスピーカキャビネット２を挟持することができるので、それぞれのスピーカをスピーカキャビネット２に取り付けることができる。
【００２２】
連結部材６は、金属（例えば、鉄やアルミ合金等）や、セラミックが適している。そして、円柱状を成して、両端面に取り付け用のネジ孔を設けている。
【００２３】
第１のスピーカ１ａと第２のスピーカ１ｂの振動板３ａ、３ｂは、それぞれの磁気回路５ａ、５ｂの空隙に遊挿するそれぞれのボイスコイル７ａ、７ｂに固着して、ボイスコイル７ａ、７ｂに印加する駆動電流によって振動する。
そして、第１のスピーカ１ａと第２のスピーカ１ｂのボイスコイル７ａ、７ｂは並列に接続されて印加する駆動電流によって、第１のスピーカ１ａと第２のスピーカ１ｂの振動板３ａ、３ｂは相反する（図１の矢印方向）方向に振動する。
なお、スピーカキャビネット２の内部の空気室は、第１のスピーカ１ａと第２のスピーカ１ｂとの共通の空気室として作用する。
【００２４】
第１のスピーカ１ａや第２のスピーカ１ｂのボイスコイル７ａ、７ｂを駆動したとき、駆動力の反作用が第１のスピーカ１ａや第２のスピーカ１ｂの磁気回路５ａ、５ｂに生じる。
そして、磁気回路５ａ、５ｂに生じた機械振動が、第１のスピーカ１ａや第２のスピーカ１ｂのフレームから取付部４ａ、４ｂに伝わって、スピーカキャビネット２を振動させる。
【００２５】
本実施例では、同一方向に配置した第１のスピーカ１ａの振動板３ａと，第２のスピーカ１ｂ振動板３ｂが、相反する方向に振動するので、磁気回路５ａ、５ｂに生じる機械振動の振動方向が逆向きになる。
磁気回路５ａ、５ｂに生じた機械振動は、第１のスピーカ１ａや第２のスピーカ１ｂのフレームを伝わって、第１のスピーカ１ａの取付部４ａや第２のスピーカ１ｂ取付部４ｂを振動させる。
【００２６】
しかしながら、第１のスピーカ１ａの取付部４ａと第２のスピーカ１ｂ取付部４ｂは、剛性の大きい連結部材６で連結しているので、逆向きに振動する機械振動を打ち消し合う。
したがって、スピーカキャビネット２に伝わる機械振動を低減する。
【００２７】
また、第１のスピーカ１ａの振動板３ａが磁気回路５ａから遠ざかる方向に振動したとき、第２のスピーカ１ｂの振動板３ｂは磁気回路５ｂに近づく方向に振動する動作をするので、第１のスピーカ１ａの有する第２高調波歪等の偶数次の高調波歪と、第２のスピーカ１ｂの有する第２高調波歪等の偶数次の高調波歪とが打ち消され、偶数次の高調波歪を低減することができる。
【００２８】
これを図２に示す第２高調波の音圧周波数特性図で示すと、第１のスピーカ１ａだけで駆動したときの第２高調波の音圧周波数特性（破線で示す）に比べて、実線で示すように、約６ｄＢ程度、第２高調波歪を低減することができる。
【００２９】
図３は、本発明によるスピーカ装置の第２の実施例を示す概略構成図である。図３において、第１のスピーカ１ａや第２のスピーカ１ｂと、スピーカキャビネット２は第１の実施例と同じものを用い、第１のスピーカ１ａと第２のスピーカ１ｂを同じ方向に配置して、第１のスピーカ１ａと第２のスピーカ１ｂをスピーカキャビネット２の外側から取り付けている。
【００３０】
本実施例では、第２のスピーカ１ｂのセンターキャップを外して、第１のスピーカ１ａの磁気回路５ａと、第２のスピーカ１ｂの磁気回路５ｂとを連結部材８で連結し、ネジ８ａ、８ｂで締結している。
【００３１】
第１の実施例と同様に、スピーカキャビネット２の開口部２ａの外周に、第１のスピーカ１ａの取付部４ａと第２のスピーカ１ｂの取付部４ｂを緩嵌する凹部を設けて設置し、連結部材８の長さを若干短くしてネジ８ａ、８ｂで締結することにより、第１のスピーカ１ａの取付部４ａと第２のスピーカ１ｂ取付部４ｂとでスピーカキャビネット２を挟持することができるので、それぞれのスピーカをスピーカキャビネット２に取り付けることができる。
【００３２】
本実施例では、第１のスピーカ１ａや第２のスピーカ１ｂのボイスコイル７ａ、７ｂを駆動したとき、第１のスピーカ１ａや第２のスピーカ１ｂの磁気回路５ａ、５ｂに駆動力の反作用が逆向きに生じるので、磁気回路５ａと磁気回路５ｂを直接連結部材８で連結することにより、スピーカの磁気回路からの駆動力の反作用による機械振動がフレーム１１から取付部に伝わる前に、機械振動を打ち消し合うことができ、スピーカキャビネット２に伝わる機械振動を低減することができる。
【００３３】
本実施例に用いる連結部材８の材質は、非磁性体の金属（例えば、銅やアルミ合金等）や、セラミックが適している。
【００３４】
図４は、本発明によるスピーカ装置の第３の実施例を示す概略構成図である。図４において、第１のスピーカ１ａや第２のスピーカ１ｂと、スピーカキャビネット２は第１の実施例と同じものを用い、第１のスピーカ１ａと第２のスピーカ１ｂを同じ方向に配置して、第１のスピーカ１ａと第２のスピーカ１ｂをスピーカキャビネット２の外側から取り付けている。
【００３５】本実施例では、第１のスピーカ１ａの取付部４ａは、スピーカキャビネット２を介して連結部材９にネジ９ａで締結している。
また、第２のスピーカ１ｂの取付部４ｂも、スピーカキャビネット２を介して連結部材９にネジ９ａで締結している。
したがって、第１のスピーカ１ａと第２のスピーカ１ｂは、スピーカキャビネット２を介して連結部材９で連結している。
【００３６】
本実施例では、第１の実施例と同様に、第１のスピーカ１ａと第２のスピーカ１ｂから発生する機械振動を打ち消し合い、スピーカキャビネット２に伝わる機械振動を低減するとともに、連結部材９によって、スピーカキャビネット２を補強することができる。
【００３７】
連結部材９は、金属（例えば、鉄やアルミ合金等）や、セラミックが適している。
【００３８】
図５は、本発明によるスピーカ装置の第４の実施例を示す概略構成図である。図５において、第１のスピーカ１ａや第２のスピーカ１ｂと、スピーカキャビネット２は第１の実施例と同じものを用い、第１のスピーカ１ａと第２のスピーカ１ｂを同じ方向に配置して、第１のスピーカ１ａと第２のスピーカ１ｂをスピーカキャビネット２の外側から取り付けている。
【００３９】
本実施例では、第１のスピーカ１ａの取付部４ａを、制動部材１０を介してスピーカキャビネット２に取り付けている。
また、第２のスピーカ１ｂの取付部４ｂも、制動部材１０を介してスピーカキャビネット２に取り付けている。
そして、第１のスピーカ１ａの取付部４ａと第２のスピーカ１ｂの取付部４ｂは、第１の実施例と同様に連結部材６にネジ６ａで締結している。
【００４０】
本実施例では、第１のスピーカ１ａの取付部４ａと第２のスピーカ１ｂの取付部４ｂが、第１の実施例と同様に連結部材６で連結して、第１のスピーカ１ａと第２のスピーカ１ｂから発生する機械振動を打ち消し合う。
【００４１】
そして、スピーカキャビネット２には、制動部材１０を介して第１のスピーカ１ａと第２のスピーカ１ｂが取り付けられるので、第１のスピーカ１ａと第２のスピーカ１ｂから発生する機械振動を打ち消し合うことができない機械振動があっても、スピーカキャビネット２に機械振動を伝えることを防止することができる。
【００４２】
制動部材１０は、軟質のプラスチック、又は発泡樹脂、又はゴム等の中から適宜選択することができる。
【００４３】
上述した実施例では、円柱状の連結部材を用いた構成で説明したが、連結部材は柱状だけでなく、例えば、スピーカ取付部の円周上に当接する、筒状の連結部材を用いても良い。
筒状の連結部材を用いた場合は、空気抜き用の開口部を連結部材に設ける必要がある。
【００４４】
筒状の連結部材の直径が、第１のスピーカ１ａの磁気回路５ａの直径よりも大きい場合は、筒状の連結部材を磁性体で形成することによって、第１のスピーカ１ａの磁気回路５ａから発生する漏洩磁束を遮蔽して、防磁効果を得ることができる。
【００４５】
【発明の効果】
本発明によれば、２つのスピーカを同一方向に配置するとともに、２つのスピーカの振動板が相反する方向に振動するので、それぞれのスピーカから発生する機械振動を連結部材で連結することにより打ち消すことができる。したがって、スピーカキャビネットに伝わる機械振動を低減することができる。
また、スピーカの有する偶数次の高調波歪を低減することができる。
【図面の簡単な説明】
【図１】本発明によるスピーカ装置の第１の実施例を示す概略構成図である。
【図２】本発明を説明するための第２高調波の音圧周波数特性図である。
【図３】本発明によるスピーカ装置の第２の実施例を示す概略構成図である。
【図４】本発明によるスピーカ装置の第３の実施例を示す概略構成図である。
【図５】本発明によるスピーカ装置の第４の実施例を示す概略構成図である。
【符号の説明】
１ａ    第１のスピーカ            １ｂ    第２のスピーカ
２      スピーカキャビネット
２ａ、２ｂ    開口部              ３ａ、３ｂ    振動板
４ａ、４ｂ    取付部              ５ａ、５ｂ    磁気回路
６      連結部材                  ６ａ、６ｂ    ネジ
７ａ、７ｂ    ボイスコイル        ８    連結部材
８ａ、８ｂ    ネジ                ９    連結部材
９ａ、９ｂ    ネジ              １０    制動部材
１１      フレーム
【図１】
0003550009.tif 000002
【図２】
0003550009.tif 000003
【図３】
0003550009.tif 000004
【図４】
0003550009.tif 000005
【図５】
0003550009.tif 000006